(57)【要約】【課題】本考案は、ガス湯沸かし器から生じる排気ガスに含まれる一酸化炭素などの毒素をオゾンによって分解した後さらに濾過することで、一酸化炭素中毒の危険をなくすことができる浄化装置と濾過装置を備えたガス湯沸かし器を提供する。【解決手段】ガス湯沸かし器に排気管を連結し、前記排気管に少なくとも一つのオゾン発生器と少なくとも一つの濾過装置を設けてなる。前記オゾン発生器のオゾン送出口は、前記排気管の排気経路上に配置され、前記オゾン発生器は電力システムに電気的に接続され、前記ガス湯沸かし器を点火した時、前記オゾン発生器も同時に作動し、生じたオゾン被が前記排気管内に進入して排気ガスと混合され、一酸化炭素とその他の化学毒素を分解し、さらに排気ガスは前記濾過装置を通過した後に排気管から排出される。【選択図】図１
0003165410.tif 000002
【実用新案登録請求の範囲】
【請求項１】
ガス湯沸かし器に排気管を連結し、前記排気管に少なくとも一つのオゾン発生器と少なくとも一つの濾過装置を設けてなる、浄化装置と濾過装置を備えたガス湯沸かし器であって、
前記オゾン発生器のオゾン送出口は、前記排気管の排気経路上に配置され、前記オゾン発生器は電力システムに電気的に接続され、前記ガス湯沸かし器を点火した時、前記オゾン発生器も同時に作動し、生じたオゾン被が前記排気管内に進入して排気ガスと混合され、一酸化炭素とその他の化学毒素を分解し、さらに排気ガスは前記濾過装置を通過した後に排気管から排出されることを特徴とする、浄化装置と濾過装置を備えたガス湯沸かし器。
【請求項２】
前記濾過装置は、貴金属触媒の蜂の巣セラミックフィルターエレメントであることを特徴とする、請求項１に記載の浄化装置と濾過装置を備えたガス湯沸かし器。
【請求項３】
前記オゾン発生器と濾過装置は、排気管の排気経路に沿って順番に設けられることを特徴とする、請求項１に記載の浄化装置と濾過装置を備えたガス湯沸かし器。
【考案の詳細な説明】
【技術分野】
【０００１】
本考案は、ガス湯沸かし器から排出される排気ガスに含まれる一酸化炭素やその他の毒素を、自動的に分解し濾過した後排出するため、使用者が不適切な使用により中毒になるのを防ぐことができる装置に関する。
【背景技術】
【０００２】
一般人が湯沸かし器を使用して一酸化炭素中毒で死亡する事故は、湯沸かし器を室内に取り付けている、もしくは、湯沸かし器をベランダに取り付けているものの、ベランダに取り付けたアルミ柵や屋内窓を閉め切っていたりベランダに掛けている衣類が多すぎたりして気流の流れが悪くなって湯沸かし器が不完全燃焼を起こし、室内の一酸化炭素濃度が高くなりすぎて中毒になることが原因である。しかしながら、都会の環境の中の小さい住宅では、スペース上の制限を受けるため、ガス湯沸かし器を室内に設置せざるを得なく、従って、排気ガスを強制的に排出する室内専用ガス湯沸かし器を選択しなければならない。しかしながら、室内専用ガス湯沸かし器は、強制的に排気ガスを排出する機能を備えているものの、ガス湯沸かし器を室内に取り付ければ、排気ガスの排出が滞ったり一酸化炭素が漏れたりするといった事態が１００パーセント起こらないという保証はなく、たった一度一酸化炭素が漏れるだけでも、大切な人命が失われる可能性がある。
【考案の概要】
【考案が解決しようとする課題】
【０００３】
そこで、本考案は、ガス湯沸かし器から生じる排気ガスに含まれる一酸化炭素などの毒素をオゾンによって分解した後さらに濾過することで、一酸化炭素中毒の危険をなくすことができる浄化装置と濾過装置を備えたガス湯沸かし器を提供することを目的とする。
【課題を解決するための手段】
【０００４】
本考案による浄化装置と濾過装置を備えたガス湯沸かし器は、ガス湯沸かし器に連結された排気管の排気経路に、少なくとも一つのオゾン発生器と少なくとも一つの濾過装置を設けてなる。前記オゾン発生器は、電力システムに電気的に接続され、ガス湯沸かし器が点火すると同時に、前記オゾン発生器も稼働してオゾンを発生させ、生じたオゾンは排気管内の排気経路に進入し、排気ガスに含まれる一酸化炭素とその他の化学毒素を分解し、その後、排気ガスは濾過装置を通過して不純物濾過された後排出される。このため、ガス湯沸かし器が不完全燃焼によって生じた一酸化炭素によって人体に危害が及ぶのを防ぐことができる。
【０００５】
オゾンが異臭を分解する効果の秘密は、その電気分解にある。オゾンの構成原子である酸素原子（Ｏ）は負電気を帯び、酸素分子（Ｏ２）は正電気を帯び、オゾンは負電気を帯びている。正電気を帯びた結合対象を見つけた場合、オゾンは酸化する。この種の作用は、大きな脱臭効果を発揮する電気分解と関係がある。悪臭は正電気をたくさん帯びており、オゾンはそれと結合（イオン結合）した後、反応してその他の物質になり、それによって脱臭効果を達成する。この種の作用は、殺菌と同じであり、酸化分解されて脱臭効果を達成する。つまり、オゾンの独特のにおいで悪臭を隠すわけではなく、臭いの根源物質を分解してしまうのである。
【０００６】
従って、本考案は、前述したような消毒殺菌及び異臭分解の特性をもつオゾンを発生する装置を、ガス湯沸かし器の排気経路上に設け、排気ガス内に含まれる一酸化炭素とその他の毒素を分解して取り除き、排出される排気ガスに含まれる毒素の量を減らすことができ、使用者が一酸化炭素中毒になるのを防ぐことができる。
【０００７】
本考案の前記濾過装置は、貴金属触媒の蜂の巣セラミックフィルターエレメントを用いて排気ガスの濾過を行う。前記セラミックフィルターエレメントは、酸化マグネシウム、酸化アルミニウム、酸化ケイ素等の異なる原料を、所定の比率に応じて混合して焼き上げたセラミックモノリスであり、各平方インチあたり１００〜２００の穴を有し、各穴の一端は開いており、他端は塞がれている。このため排気ガスは直接通過することはできず、必ず通路壁を通る必要があり、通路壁穴の隙間が約７−１３ｕであるため、排気ガス内の９９％以上の有毒粒子を捕まえることができる。さらに、セラミック表面を二次加工によって貴金属塗料（白金、パラジウム、ロジウム、チタン等を異なる比率で混ぜ合わせる）を焼きつけることにより、セラミック表面に付着した貴金属が、通過する有毒な気体を酸化或いは還元し、無毒になった空気を排出させることができる。
【図面の簡単な説明】
【０００８】
【図１】本考案の浄化装置と濾過装置を備えたガス湯沸かし器の実施例を示した構成図である。
【考案を実施するための形態】
【０００９】
図１に示すように、本考案の好ましい実施例による浄化装置と濾過装置を備えたガス湯沸かし器は、ガス湯沸かし器１に連結された排気管１１の排気経路に、順番に、少なくとも一つのオゾン発生器２と、少なくとも一つの濾過装置３を設けてなる。ガス湯沸かし器１によりガスが燃焼した後に生じた排気ガスは、排気管１１の排気ガス進入口１１１から直接流入し、オゾン発生器２と濾過装置３を順番に通過した後、排気ガス出口１１２から排出される。オゾン発生器２は、電力システムに電気的に接続され、ガス湯沸かし器１を点火した時、オゾン発生器２も作動しオゾンを発生させ、生じたオゾンはすぐに排気管１１内に進入し排気ガスと混合される。そして、オゾンによって、排気ガス内に含まれる一酸化炭素とその他の有毒化学物質は分解されて無毒な物質或いは毒性が低い物質になった後、さらに濾過装置３で不純物が濾過され大気中に排出される。オゾン発生器２と電気的に接続された電力システムは、電源コードによって家庭用の交流電源に電気的に接続される。
【００１０】
本考案の実施例における濾過装置３は、貴金属触媒の蜂の巣セラミックフィルターエレメントである。オゾンによって毒性が分解された後の排気ガスが濾過装置３を通過する時、貴金属触媒の蜂の巣セラミックフィルターエレメントによって、排気ガス内に含まれる汚染物質が濾過されてから排出される。セラミックフィルターエレメントは、酸化マグネシウム、酸化アルミニウム、酸化ケイ素などの異なる原料を、所定の比率に応じて混合して焼き上げたセラミックモノリスであり、各平方インチあたり１００個の穴があり、各穴の一端は開いており、他端は塞がれている。このため、排気ガスは直接通過することはできず、必ず通路壁を通る必要があり、通路壁穴の隙間が約７−１３ｕであるため、排気ガス内の９９％以上の有毒粒子を捕まえることができる。さらに、セラミック表面を二次加工によって貴金属塗料（例えば、白金、パラジウム、ロジウム、チタン等を異なる比率で混ぜ合わせる）、を焼きつけることにより、セラミック表面に付着した貴金属が、通過する有毒な気体を酸化或いは還元し、無毒になった空気を排出させることができる。
【符号の説明】
【００１１】
１      ガス湯沸かし器
１１    排気管
１１１  排気ガス進入口
１１２  排気ガス出口
２      オゾン発生器
３      濾過装置
【図１】
0003165410.tif 000003